(57)【要約】
【課題】  飲み残しの炭酸飲料容器内の気抜けを防止する。
【解決手段】  替え栓を下端に開口３を有する嚢体を弾性素材により一体成形したポンプ体２と、スクリューキャップ用の雄ネジ部を設けた容器Ｂの首部Ｂ１に螺着可能にして、環状の狭窄部１２に上記ポンプ体の開口がスナップ嵌合される取り付けポスト１０を頭部に設けたキャップ体６により構成し、ポンプ体にポンプ体側への通気のみを許す吸入弁５を設けると共に、キャップ体に容器側への通気のみを許す排気弁１７を設ける。
【選択図】      図１
0003100875.tif 000002
【実用新案登録請求の範囲】
【請求項１】
下端に開口を有する嚢体を弾性素材により一体成形したポンプ体と、スクリューキャップ用の雄ネジ部を設けた容器の首部に螺着可能にして、環状の狭窄部に上記ポンプ体の開口がスナップ嵌合される取り付けポストを頭部に設けたキャップ体からなり、ポンプ体にポンプ体側への通気のみを許す吸入弁を設けると共に、キャップ体に容器側への通気のみを許す排気弁を設けたことを特徴とする炭酸飲料容器用の替え栓。
【請求項２】
下端に開口を有する嚢体を弾性素材により一体成形したポンプ体と、スクリューキャップ用の雄ネジ部を設けた容器の首部に螺着可能にして、上記ポンプ体の開口が環状の狭窄部にスナップ嵌合される取り付けポストを頭部に設けたキャップ体からなり、ポンプ体にポンプ体側への通気のみを許す吸入弁を設けると共に、キャップ体に容器側への通気のみを許す排気弁を設けた替え栓において、下方に嵌合用の凹部を設けた取り付けポストをキャップ体の頭部から突設した突体に外嵌・固着することにより、取り付けポストのキャップ体への結合手段とし、上記突体に貫通穴状の弁室を設けると共に突体に外嵌される取り付けポストの頭部に上記弁室の径より小さな貫通穴状の通気穴を設け、厚み方向に貫通した切り込みに囲まれた弁部分が非切り込み部をヒンジとして擺動する弾性素材よりなる薄板状の弁体を上記弁室内に挿入すると共に、挿入した弁体を弁室内に内嵌される筒体の端部により取り付けポストの頭部の裏面に当接させ、上記弁部分を筒体の内径より小さく、且つ取り付けポストの通気穴より大きく構成することにより排気弁の構成手段としたことを特徴とする炭酸飲料容器用の替え栓。
【請求項３】
ポンプ体の外形を動物又は物体又はキャラクターを象った形状とした請求項１又は２記載の炭酸飲料容器用の替え栓。
【考案の詳細な説明】
【技術分野】
【０００１】
この考案は容器に収容された炭酸飲料の替え栓に関し、より詳細には収容した飲料の気抜けを防止する作用を有する替え栓に関する。
【背景技術】
【０００２】
炭酸飲料においては、一旦抜栓して飲料の一部を消費した場合に飲み残しがあると、再度蓋をしても収容した飲料が気抜けしてしまう問題があった。
上記の現象を防止するために、容器内の空気を加圧するためのポンプ機構を有した替え栓が下記の特許文献１〜７に示すように従来提案されている。
【特許文献１】実願昭５３−１２６８６２号（実開昭５３−１２６８６２号）のマイクロフィルム
【特許文献２】実願昭５３−１０８４６８号（実開昭５５−２７６０９号）のマイクロフィルム
【特許文献３】実願昭６３−６９９２４号（実開昭６４−４２２６６号）のマイクロフィルム
【特許文献４】特開平４−１４２２６０号公報
【特許文献５】実開平６−８２５９号公報
【特許文献６】特開２００２−２７４５５７号公報
【特許文献７】特開昭５２−１５６０７７号公報
【考案の開示】
【考案が解決しようとする課題】
【０００３】
しかしながら、前記の公知考案の内、特許文献１〜６に開示のものは構造が複雑であり、部材の製造や組み立てに手間がかかるという問題があり、製造コストにおいて不利であった。
一方、特許文献７に開示された考案においては、替え栓は弁体を有するゴム球により構成され、このゴム球の押し潰し及び原型への復帰によりポンプ作用を実現するので構造は簡易である。しかしながら、ゴム球への下端に排気弁を設けるためにゴム球の下端を細く構成せざるを得ず、成形性が悪いという問題があり、デザイン上の自由度も低かった。又、ゴム球の下端が細いので弁体をゴム球に取り付けるに際してゴム球の内部からの作業が不可能であるという不便さがあった。
【課題を解決するための手段】
【０００４】
この考案の炭酸飲料容器用の替え栓は以上の従来技術の問題点に鑑みて創作されたものであり、下端に開口を有する嚢体を弾性素材により一体成形したポンプ体と、スクリューキャップ用の雄ネジ部を設けた容器の首部に螺着可能にして、環状の狭窄部に上記ポンプ体の開口がスナップ嵌合される取り付けポストを頭部に設けたキャップ体からなり、ポンプ体にポンプ体側への通気のみを許す吸入弁を設けると共に、キャップ体に容器側への通気のみを許す排気弁を設けたことを特徴とする。
又、ここでは第２考案として、前記の替え栓において、下方に嵌合用の凹部を設けた取り付けポストをキャップ体の頭部から突設した突体に外嵌・固着することにより、取り付けポストのキャップ体への結合手段とし、上記突体に貫通穴状の弁室を設けると共に突体に外嵌される取り付けポストの頭部に上記弁室の径より小さな貫通穴状の通気穴を設け、厚み方向に貫通した切り込みに囲まれた弁部分が非切り込み部をヒンジとして擺動する弾性素材よりなる薄板状の弁体を上記弁室内に挿入すると共に、挿入した弁体を弁室内に内嵌される筒体の端部により取り付けポストの頭部の裏面に当接させ、上記弁部分を筒体の内径より小さく、且つ取り付けポストの通気穴より大きく構成することにより排気弁の構成手段としたことを特徴とする炭酸飲料容器用の替え栓も開示する。
【考案の効果】
【０００５】
この考案によれば、キャップ体を容器に螺着し、ポンプ体を指先などで押し潰すことにより排気弁から容器内へ空気が排出されて容器内の空気が加圧されて内部の飲料の気抜けが防止される効果を奏する。又、押し潰しを解除することによりポンプ体は弾性体の復元力により吸気弁から内部に空気を導入しながら元の形状に膨張する効果を奏する。
又、ポンプ体は弾性素材により一体成形されるのでデザインの自由度が高く、例えば動物やキャラクターを象った形状とすることにより単なる機能以上の面白みを製品に付加することが可能となる。
更に、キャップ体の頭部に環状の狭窄部を有する取り付けポストを設け、この狭窄部にポンプ体の開口をスナップ嵌合することにより、キャップ体とポンプ体の組み立て手段としたのでポンプ体の開口を大きくとることが可能となり、弁体の組み込みに際し内部からの作業が可能となる。
一方、第２考案によれば、キャップ体と取り付けポストと排気弁を簡単な作業により組み立てることが可能となる。
【考案を実施するための最良の形態】
【０００６】
以下、この考案の具体的実施例を添付図面に基づいて説明する。図１は、この考案の替え栓を容器に装着した状態の一部切り欠き正面図、図２は分解状態の一部切り欠き正面図である。
この考案の替え栓１は、スクリューキャップ用の雄ネジ部を設けた炭酸飲料用の容器の首部に螺着可能なキャップ体の頭部にポンプ体を設け、それぞれの部材に排気弁及び吸気弁を設けた構成よりなる。
【０００７】
図中符号２はポンプ体であり、下端に開口３を有する嚢体を弾性素材により一体成形した構成よりなり、弁体５を有する吸気弁４が設けられる。図中符号６はキャップ体であり、炭酸飲料用の容器Ｂの首部Ｂ１に螺着可能なように首部の雄ネジ部に対応した雌ネジ部が内周に刻設される。キャップ体６の頭部には狭窄部１２を利用してポンプ体２の開口３がスナップ嵌合される取り付けポスト１０が設けられ、この取り付けポストの頭部にはポンプ体２内の空気を排気弁に導入するための通気穴１１が設けられる。
この実施例では成形の便宜を考慮して取り付けポスト１０をキャップ体６と別部材に構成し、取り付けポストの下方に設けた嵌合用の凹部１３をキャップ体の頭部から突設した突体１４に外嵌・固着することにより両者を結合している（図２及び５参照）。一方、上記突体１４には前記の取り付けポスト１０の通気穴１１より大きな径を有する貫通穴状の弁室１５を設け、ここに排気弁を構成する弁体１７を収容する。
弁体１７は弾性素材よりなる薄板状のものであり、厚み方向に貫通した切り込み１９に囲まれた弁部分１７Ａが非切り込み部１８をヒンジとして擺動する構成よりなり、この弁部分は後記する筒体１６の内径より小さく、且つ取り付けポストの通気穴より大きく設定される（特に図５参照）。上記弁体１７は前記弁室１５内に下方から挿入され、その後に弁室内に挿入される筒体１６の端部により前記取り付けポストの頭部の裏面に当接して固定されることにより、弁部分１７Ａはそれより小径の取り付けポストの通気穴１１側への擺動が規制され、大径の筒体１６の内部方向へのみ擺動可能となる。
図３及び図４はこの考案の替え栓の作用を示す図である。図３は容器Ｂ内の空気を加圧する際の状態を示す図である。ポンプ体２を指先などで押し潰すことにより排気弁の弁体１７の弁部分１７Ａが開放され、ポンプ体から容器内へ空気が排出される。図４はポンプ体の吸入工程の状態を示す図である。押し潰しを解除することによりポンプ体２は弾性体の復元力により負圧状態となって吸気弁の弁体５が開放されて内部に空気を導入しながら元の形状に膨張する。
尚、以上の実施例においてはポンプ体２の外形をキャラクターを象った形状としているが、動物又は物体（例えば、自動車やテレビ）を象った形状としてもよい。
【図面の簡単な説明】
【０００８】
【図１】この考案の替え栓を容器に装着した状態の一部切り欠き正面図。
【図２】同上、分解状態の一部切り欠き正面図。
【図３】この考案の替え栓の作用を示す一部切り欠き正面図。
【図４】この考案の替え栓の作用を示す一部切り欠き正面図。
【図５】この考案の替え栓の要部の分解状態の斜視図。
【符号の説明】
【０００９】
１        替え栓
２        ポンプ体
３        開口
５        弁体（吸気弁）
６        キャップ体
１０      取り付けポスト
１７      弁体（排気弁）
【図１】
0003100875.tif 000003
【図２】
0003100875.tif 000004
【図３】
0003100875.tif 000005
【図４】
0003100875.tif 000006
【図５】
0003100875.tif 000007